(57)【特許請求の範囲】
【請求項１】
仮設足場に使用される建枠の上端の連結管に手摺支柱を嵌入し、隣接する手摺支柱間に手摺材を掛け渡して形成する仮設足場用手摺において、前記手摺支柱はその下端部に建枠に沿わせる形状で垂直方向下向きに支持材を突設し、該支持材には連結管の係止ピン挿通用の長孔を垂直方向に穿設させると共に、支持材下端部を手摺支柱の半径外方向に略Ｌ字形状に折曲させる一方、手摺支柱下端部の前記支持材と対向する位置には連結管押圧用ボルトを螺着したことを特徴とする仮設足場用手摺。
【発明の詳細な説明】
【０００１】
【発明の属する技術分野】
本発明は、建築工事の仮設足場に使用される建枠に取り付けて作業用通路の安全を確保する仮設足場用手摺に関する。
【０００２】
【従来の技術】
建築物の建築工事においては、建築物の側近に建枠を多数並設すると共に、建築物の高さに応じて何段にも積み上げ、隣接する建枠間に足場板を掛け渡して仮設足場を形成して建築工事を行っている。
【０００３】
この仮設足場は、図６に示すように、隣接する建枠１を筋交い２にて補強しながら足場板３を掛け渡して作業用通路を形成すると共に、作業用通路の安全を確保するために手摺４を取り付けている。この手摺４は、手摺支柱５と、手摺支柱５間に掛け渡す手摺材６とから成っており、手摺支柱５を建枠１の上端に装着した連結管７に嵌入し、連結管７に装着した係止ピン８の係止部８ａを手摺支柱５のピン孔９に係止して固定し、固定した手摺支柱５のストッパー１０間に手摺材６を架け渡して形成している。
【０００４】
【発明が解決しようとする課題】
しかしながら、上記従来の手摺は、手摺支柱５を建枠１の連結管７に嵌入して係止ピン８の係止部８ａに係止して抜け止めをしただけであって、強固に固定されておらず、多少のぐらつきもあり、安全上何ら問題がないとは言えないものであった。
【０００５】
本発明は上記の点に鑑み、仮設足場の建枠に強固に取り付けられてぐらつきのない安全な仮設足場用手摺を提供することを課題とする。
【０００６】
【課題を解決するための手段】
本発明は上記の課題を達成するために、仮設足場に使用される建枠の上端の連結管に手摺支柱を嵌入し、隣接する手摺支柱間に手摺材を掛け渡して形成する仮設足場用手摺において、前記手摺支柱はその下端部に建枠に沿わせる形状で垂直方向下向きに支持材を突設し、該支持材には連結管の係止ピン挿通用の長孔を垂直方向に穿設させると共に、支持材下端部を手摺支柱の半径外方向に略Ｌ字形状に折曲させる一方、手摺支柱下端部の前記支持材と対向する位置には連結管押圧用ボルトを螺着したことを特徴としている。
【０００７】
【発明の実施の形態】
本発明に係る仮設足場用手摺によれば、建枠間に足場板を掛け渡して形成した作業用通路に手摺を取り付ける時は、先ず、隣接する建枠の上端の連結管に手摺支柱を取り付ける。このとき、手摺支柱下端の略Ｌ字形状をした支持材の係止ピン挿通用長孔が連結管の係止ピンの突出部に挿通状に一致するようにして手摺支柱を連結管に嵌入する。
【０００８】
次に、連結管の係止ピンを操作して手摺支柱の抜け止めを行う。続いて、手摺支柱の支持材と対向する位置の連結管押圧用ボルトを締め付け方向に回転させてボルト先端部を連結管に押圧させて固定する。この連結管押圧用ボルトを連結管に押圧させると、反対位置の支持材の下端部が建枠に押し付けられることになり、手摺支柱をより強固に固定することができ、ぐらつきもなくなる。
【０００９】
このぐらつきのない手摺支柱間に手摺材を取り付ければ、ぐらつきのない、安全な手摺が完成し、作業用通路の安全を確保することができる。
【００１０】
【実施例】
以下、本発明の実施例を図面に基づいて説明する。
【００１１】
図１は本発明に係る仮設足場用手摺を採用した仮設足場の概略斜視図であって、図６（従来例）で示したものと同一ものは同一符合を付してあり、その説明は省略する。図６との相違するところは、手摺１１を構成する手摺支柱１２の下端部の取り付け構造のみである。
【００１２】
前記手摺支柱１２は、図２〜図４に示すように、その下端部に建枠１に沿わせる形状で垂直方向下向きに適宜長さの支持材１３を突設している。この支持材１３は建枠１に沿わせて手摺支柱１２のぐらつきをなくするもので、横断面は建枠１に沿うような湾曲形状とすることが好ましいが、略Ｌ字形状または略コ字形状等の形状でも良い。
【００１３】
前記支持材１３には連結管７の係止ピン８挿通用の長孔１４を垂直方向に穿設しており、また支持材１３の下端部を手摺支柱１２の半径外方向に略Ｌ字形状に折曲させている。これによって、手摺支柱１２は建枠１上端の連結管７に嵌入する時に、手摺支柱１２の支持材１３の長孔１４を連結管７の係止ピン８の突出部８ｂに挿通状に一致させれば係止ピン８が邪魔になることなく嵌入できる。
【００１４】
なお、支持材１３の下端部を半径外方向に略Ｌ字形状に折曲させているが、折曲させない状態で長孔１４を下端まで穿設すると、連結管７の係止ピン８が邪魔にならないで手摺支柱１２を連結管７に嵌入できるが、後述するように支持材１３の下端部を建枠１に押し付けて固定するので強度不足で下端部が割れる方向に曲がる可能性もあり、これを回避するために長孔１４を下端まで穿設しないようにしており、それ故、支持材１３の下端部を半径外方向に折曲させて長孔１４を略Ｌ字形状に形成し、連結管７の係止ピン８をスムーズに通過できるようにしている。
【００１５】
また、手摺支柱１２下端部の支持材１３と対向する位置には連結管押圧用のボルト１５が螺着されている。このボルト１５を締め付け方向に回転させると、ボルト先端部が連結管７を押圧して手摺支柱１２を連結管７に固定できる。
【００１６】
しかして、仮設足場に手摺を取り付ける時には、図５に示すように、手摺支柱１２を建枠１の上位に持ち上げ、手摺支柱１２の支持材１３の長孔１４を建枠１上端の連結管７の係止ピン８の突出部８ｂに臨ませる位置に合わせた後、手摺支柱１２を降ろすと、連結管７の係止ピン８の突出部８ｂが支持材１３の長孔１４に挿通した状態で連結管７に嵌入される。
【００１７】
手摺支柱１２が連結管７に嵌入されると、係止ピン８の係止部８ａを手摺支柱１２のピン孔９及び連結管７のピン孔１６に挿入して係止し、手摺支柱１２が抜けないようにする。
【００１８】
次に、手摺支柱１２の連結管締結用ボルト１５を締め付け方向に回転させてボルト先端部を連結管７に押圧させて手摺支柱１２を連結管７に固定する。また、連結管押圧用ボルト１５を連結管７に押圧することによって反対位置の支持材１３の下端部が建枠１に押し付けられ、手摺支柱１２が建枠１に強固に固定される。そして隣接する手摺支柱１２間に手摺材６を取り付けると手摺が完成する。
【００１９】
【発明の効果】
以上のように本発明に係る仮設足場用手摺によれば、手摺支柱はその下端部に建枠に沿わせる形状で垂直方向下向きに支持材を突設し、該支持材には連結管の係止ピン挿通用の長孔を垂直方向に穿設させると共に、支持材下端部を手摺支柱の半径外方向に略Ｌ字形状に折曲させる一方、手摺支柱下端部の前記支持材と対向する位置には連結管押圧用ボルトを螺着したので、手摺支柱が仮設足場の建枠に強固に取り付けられ、これによってぐらつきのない安全な手摺を形成できる。
【図面の簡単な説明】
【図１】本発明に係る仮設足場用手摺を採用した仮設足場の概略斜視図である。
【図２】本発明に係る仮設足場用手摺の一実施例を示す正面図である。
【図３】同上の側面図である。
【図４】同上の平面図である。
【図５】手摺支柱を連結管に装着する状態を示す一部切り欠き正面図である。
【図６】従来の仮設足場用手摺を採用した仮設足場の概略斜視図である。
【符号の説明】
１…建枠                          ３…足場板
６…手摺材                        ７…連結管
８…係止ピン                    １１…手摺
１２…手摺支柱                    １３…支持材
１４…係止ピン挿通用長孔          １５…連結管押圧用ボルト
【図１】
0003851709.tif 000002
【図２】
0003851709.tif 000003
【図３】
0003851709.tif 000004
【図４】
0003851709.tif 000005
【図５】
0003851709.tif 000006
【図６】
0003851709.tif 000007